(57)【特許請求の範囲】
【請求項１】
軸筒を互いに回転可能に連設した胴軸と鞘軸とで構成し、該鞘軸内に該鞘軸と一体にまたは別部材で形成したカム斜面を有するカム部を配し、軸筒内に、筆記体を収容する１つまたは複数の筆記体収容溝を有した摺動ケースを鞘軸に連動して回転や前後に移動することのない胴軸に連接して配設し、筆記体収容溝に、後端にカム係止突起を設けた摺動体を装着した少なくとも１つはシャープペンシルユニットである筆記体を、ばねとともに装着して胴軸の先端開口部と反対側の後方に付勢し、カム係止突起をカム部のカム斜面に当接して収容し、鞘軸を胴軸に対して回転することにより鞘軸に連動してカム部が摺動ケースに対して回転し、カム係止突起がカム斜面に沿って前後動することで、筆記体が軸筒内を前後動して筆記先端部を胴軸の先端開口部より出没してなる回転繰出式筆記具において、カム部またはカム部と連動して回転可能な部材の内壁面に、内側に向かって突出したストッパー用突起と、該ストッパー用突起の周方向の断面形状と相違した断面形状でストッパー用突起より多くの突出量で内方へ突出した嵌合部分を有する嵌合突起とを、軸心方向における位置がほぼ同等の周上に設け、摺動ケースを、筆記体収容溝を有する収容部と、該収容部の外径より小径で少なくともストッパー用突起に当接しない外径寸法とした頭端部とで構成し、該頭端部に、嵌合突起の嵌合部分が嵌合して回転可能に周状に形成し軸心方向の長さが嵌合部分の軸心方向の長さとほぼ同等な嵌合凹部を形成し、該嵌合凹部の前方に、嵌合突起の嵌合部分が嵌合して前後動可能な、一方が収容部に延びて筆記体収容溝に連通し他方が嵌合凹部に開口した嵌合突起溝と、ストッパー用突起が嵌合して前後動可能な、一方が収容部に延び他方が嵌合凹部に開口したストッパー用突起溝を設け、嵌合突起の嵌合部分を嵌合凹部に嵌合して、鞘軸を胴軸に対して回転してシャープペンシルユニットの筆記先端を軸筒の先端開口部より突出した際に、嵌合突起の嵌合部分が嵌合突起溝に、ストッパー用突起がストッパー用突起溝に対向するように設け、嵌合突起の嵌合部分が嵌合突起溝にストッパー用突起がストッパー用突起溝に対向した時に、シャープペンシルユニットの筆記先端から鉛芯を繰出すための鞘軸の胴軸側への押圧を可能としたことを特徴とする回転繰出式筆記具。
【発明の詳細な説明】
【技術分野】
【０００１】
本発明は、鞘軸を胴軸に対して回転することにより鞘軸内に配したカム部が回転し、軸筒内に収納した筆記体の後端に設けたカム係止突起がカム部のカム斜面に沿って前後動することで、筆記体が軸筒内を前後動して筆記先端部を胴軸の先端開口部より出没可能とした回転繰出式筆記具に関するものである。
【背景技術】
【０００２】
従来、軸筒を互いに回転可能に連設した胴軸と鞘軸とで構成し、該鞘軸内に該鞘軸と一体にまたは別部材で形成したカム斜面を有するカム部を配し、軸筒内に、筆記体を収容する１つまたは複数の筆記体収容溝を有した摺動ケースを鞘軸に連動して回転や前後に移動することのない胴軸に連接して配設し、筆記体収容溝に、後端にカム係止突起を設けた摺動体を装着した少なくとも１つはシャープペンシルユニットである筆記体を、ばねとともに装着して胴軸の先端開口部と反対側の後方に付勢し、カム係止突起をカム部のカム斜面に当接して収容し、鞘軸を胴軸に対して回転することにより鞘軸に連動してカム部が摺動ケースに対して回転し、カム係止突起がカム斜面に沿って前後動することで、筆記体が軸筒内を前後動して筆記先端部を胴軸の先端開口部より出没してなる回転繰出式筆記具は知られている。
【０００３】
また、少なくとも軸筒内に収容した筆記体の１つが、シャープペンシルユニットで構成された筆記体である回転繰出式筆記具についても、例えば特開２００５−１６１８２９号公報等により充分に知られている。ところで、こうしたシャープペンシルユニットの筆記体を有した回転繰出式筆記具においては、前記したように鞘軸を胴軸に対して回転してカム部を回転させることで、筆記体の後端に設けたカム係止突起を介して筆記体を押圧して前進させ、軸筒内に収容した筆記体の筆記先端部を軸筒の先端開口部より突出させる構造を有するが、さらに鉛芯を繰出すためにシャープペンシルユニットの筆記体を押圧可能な構造とする必要がある。
【０００４】  こうした構造についても種々のものが提案されているが、その中に、図２９〜図３４に示すような構造のものがある。構造について簡単に説明すると、従来の複合筆記具１０１は、図２９に示すように、軸筒１０２は胴軸１０３と鞘軸１０４とで構成され、胴軸１０３は前筒１０３ａと後筒１０３ｂで構成されている。前筒１０３ａと後筒１０３ｂは、前筒１０３ａに固着した継手金輪１０５と後筒１０３ｂとを螺着することで、着脱自在に設けてある。図３２に示すように、鞘軸１０４の内壁面には、該内壁面より内側に向かって突出させて形成した、先端（図３２において左端）にカム斜面１０６を有するカム部１０７を鞘軸１０４と一体にして設けてある。カム部１０７の後方（図３２において右側方向）の鞘軸１０４の内壁面は、カム部１０７の内径と同一形状の内径としてあり、その鞘軸１０４の内壁面に、内側に向かって突出し、長手方向に帯状に延びた周方向の断面形状が台形状の１つのストッパー用突起１０８を設けてある。該ストッパー用突起１０８の後方の位置の鞘軸１０４の内壁面には、ストッパー用突起１０８の突出量より大きな突出量で内側に向かって突出したリング状の嵌合突起１０９を設けてある（図３２および図３３の（ｃ）を参照）。嵌合突起１０９の後方の鞘軸１０４の内壁面は、ストッパー用突起１０８の突出した上面と面一上となる様な内径に縮径してある。【０００５】
筆記体収容溝１１０ａ、１１０ｂを有する収容部１１１と該収容部１１１の外径より小径な頭端部１１２とで構成された、図３１に示すような摺動ケース１１３を、胴軸１０３の後筒１０３ｂと一体に形成して設けてあり、摺動ケース１１３が鞘軸１０４に連動して回転や前後に移動することがない。なお、摺動ケース１１３については、よく知られており、詳細な図は省略する。筆記体収容溝１１０ａにはシャープペンシルユニットの筆記体１１４ａを、筆記体収容溝１１０ｂにはボールペンレフィルの筆記体１１４ｂを、コイルスプリング１１５を介在して後方（図２９において右側方向）に付勢して収容してある。各々の筆記体１１４ａ、１１４ｂの後端部に連接した摺動体１１６ａ、１１６ｂに設けたカム係止突起１１７ａ、１１７ｂは、カム部１０７のカム斜面１０６に当接している。
【０００６】  図３１に示すように、摺動ケース１１３の頭端部１１２には、嵌合凹部１１８を設けてあり、前記嵌合突起１０９が嵌合して回転可能としてある。収容部１１１には、軸心方向に延び一方を嵌合凹部１１８に開口し、ストッパー用突起１０８が嵌合して前後動可能なストッパー用突起溝１１９を対向した位置に２つ設けてある（図３０の（ｃ）および図３３の（ｂ）を参照）。なお、リング状で内径が頭端部１１２の外径より小径な嵌合突起１０９を嵌合凹部１１８に嵌合するが、頭端部１１２には図示していないが長手方向に延びたスリットを設けてあり、摺動ケース１１３を鞘軸１０４内に挿入した際に、嵌合突起１０９に当接することで頭端部１１２の外径が縮径し、嵌合突起１０９の嵌合凹部１１８への嵌合が可能となる。【０００７】  筆記体１１４を後方に付勢するコイルスプリング１１５によりカム係止突起１１７がカム部１０７を後方へ押圧し、鞘軸１０４を後退させようとするが、嵌合突起１０９が嵌合凹部１１８を構成する頭端部１１２の後方壁面１２０に当接することで必要以上の後退は防止され、鞘軸１０４が胴軸１０３より離脱しないようにしてある。また、ストッパー用突起１０８が摺動ケース１１３の収容部１１１の後端壁面１２１に当接することで、鞘軸１０４の胴軸１０３に対する前進を防止している。【０００８】
鞘軸１０４を胴軸１０３に対して回転すると、鞘軸１０４に連動してカム部１０７も回転し、カム部１０７のカム斜面１０６と該カム斜面１０６に当接した筆記体１１４の摺動体１１６に設けたカム係止突起１１７とのカム作用により、筆記体１１４は前後動し、図３２に示すように、シャープペンシルユニットの筆記体１１４ａが前進して、筆記体１１４ａの筆記先端部１２２ａを前筒１０３ａの先端開口部１２３より突出する。
【０００９】
シャープペンシルユニットの筆記体１１４ａの筆記先端部１２２ａから鉛芯１２４を繰出すには、鞘軸１０４を胴軸１０３に対して押圧して、カム部１０７により該カム部１０７の先端に保持されたシャープペンシルユニットの筆記体１１４ａの摺動体１１６ａのカム係止突起１１７ａを押圧して、シャープペンシルユニットの筆記体１１４ａを前進させるが、シャープペンシルユニットの筆記体１１４ａの筆記先端部１２２ａが前筒１０３ａの先端開口部１２３より突出した時に、鞘軸１０４の内壁面に設けたストッパー用突起１０８が摺動ケース１１３の収容部１１１に設けたストッパー用突起溝１１９に対向し（図３３の（ｂ）と（ｃ）におけるストッパー用突起１０８の位置とストッパー用突起溝１１９の位置を参照）、ストッパー用突起１０８がストッパー用突起溝１１９に嵌合して、シャープペンシルユニットの筆記体１１４ａが前進可能となる。本構造では、ボールペンレフィルの筆記体１１４ｂの筆記先端部１２２ｂが前筒１０３ａの先端開口部１２３より突出した時にも、ストッパー用突起１０８がストッパー用突起溝１１９に対向するように設けてあるので、ストッパー用突起１０８がストッパー用突起溝１１９に嵌合し、ボールペンレフィルの筆記体１１４ｂも前進可能となっている。なお、筆記先端部１２２が没入時は、ストッパー用突起１０８が摺動ケース１１３の収容部１１１の後端壁面１２１に当接し、鞘軸１０４を胴軸１０３に対して押圧しても、必要以上に鞘軸１０４が前進することなく、筆記体１１４の筆記先端部１２２が胴軸１０３の先端開口部１２３より突出することがないようにしてある。
【００１０】
ところで、シャープペンシルユニットにおいて、鉛芯を繰出すために必要な鞘軸１０４の胴軸１０３に対する前進の移動距離、すなわちストッパー用突起１０８がストッパー用突起溝１１９内を前進する必要がある移動距離は約４ｍｍ位であり、ストッパー用突起溝１１９の軸心方向の長さは、約４ｍｍ位としてある。ところで、前記した構造では、嵌合突起１０９の前方にストッパー用突起１０８を配した構造としてあるために、ストッパー用突起１０８の先端と嵌合突起１０９の先端との離間した距離分だけ摺動ケース１１３の全長が長くなり、しいては筆記具の全長が長くなってしまうという問題があった。
【特許文献１】特開２００５−１６１８２９号公報
【発明の開示】
【発明が解決しようとする課題】
【００１１】
本発明は前記事実に鑑み、少なくとも１つのシャープペンシルユニットの筆記体を胴軸に連接した摺動ケースに収容し、胴軸に対して鞘軸を回転することにより、鞘軸内に該鞘軸と一体にまたは別部材で形成した、鞘軸に連動して回転可能に設けたカム部と、筆記体の後端に装着した摺動体に設けたカム係止突起とのカム作用により筆記体が軸筒内を前後動して、筆記体の筆記先端部を胴軸の先端開口部より出没し、カム部またはカム部と連動して回転可能な部材の内壁面に設けた突起と、該突起が嵌合可能な摺動ケースに設けた溝との構成により、鞘軸が胴軸に対して前進可能とすることで、シャープペンシルユニットの筆記体の筆記先端部から鉛芯を繰出可能とした回転繰出式筆記具の構造において、摺動ケースの軸心方向の全長を従来の構造のものと比較して短くすることで、筆記具における全長を短くできるように改良するものである。
【課題を解決するための手段】
【００１２】  本発明は、「軸筒を互いに回転可能に連設した胴軸と鞘軸とで構成し、該鞘軸内に該鞘軸と一体にまたは別部材で形成したカム斜面を有するカム部を配し、軸筒内に、筆記体を収容する１つまたは複数の筆記体収容溝を有した摺動ケースを鞘軸に連動して回転や前後に移動することのない胴軸に連接して配設し、筆記体収容溝に、後端にカム係止突起を設けた摺動体を装着した少なくとも１つはシャープペンシルユニットである筆記体を、ばねとともに装着して胴軸の先端開口部と反対側の後方に付勢し、カム係止突起をカム部のカム斜面に当接して収容し、鞘軸を胴軸に対して回転することにより鞘軸に連動してカム部が摺動ケースに対して回転し、カム係止突起がカム斜面に沿って前後動することで、筆記体が軸筒内を前後動して筆記先端部を胴軸の先端開口部より出没してなる回転繰出式筆記具において、カム部またはカム部と連動して回転可能な部材の内壁面に、内側に向かって突出したストッパー用突起と、該ストッパー用突起の周方向の断面形状と相違した断面形状でストッパー用突起より多くの突出量で内方へ突出した嵌合部分を有する嵌合突起とを、軸心方向における位置がほぼ同等の周上に設け、摺動ケースを、筆記体収容溝を有する収容部と、該収容部の外径より小径で少なくともストッパー用突起に当接しない外径寸法とした頭端部とで構成し、該頭端部に、嵌合突起の嵌合部分が嵌合して回転可能に周状に形成し軸心方向の長さが嵌合部分の軸心方向の長さとほぼ同等な嵌合凹部を形成し、該嵌合凹部の前方に、嵌合突起の嵌合部分が嵌合して前後動可能な、一方が収容部に延びて筆記体収容溝に連通し他方が嵌合凹部に開口した嵌合突起溝と、ストッパー用突起が嵌合して前後動可能な、一方が収容部に延び他方が嵌合凹部に開口したストッパー用突起溝を設け、嵌合突起の嵌合部分を嵌合凹部に嵌合して、鞘軸を胴軸に対して回転してシャープペンシルユニットの筆記先端を軸筒の先端開口部より突出した際に、嵌合突起の嵌合部分が嵌合突起溝に、ストッパー用突起がストッパー用突起溝に対向するように設け、嵌合突起の嵌合部分が嵌合突起溝にストッパー用突起がストッパー用突起溝に対向した時に、シャープペンシルユニットの筆記先端から鉛芯を繰出すための鞘軸の胴軸側への押圧を可能としたことを特徴とする回転繰出式筆記具。」である。【００１３】
本発明において、カム部は鞘軸に一体に形成して配してもよいし、先端にカム斜面を設けたカム筒を形成し、該カム筒を鞘軸内に挿着することで配してもよい。ストパー用突起と嵌合突起を、カム部またはカム部と連動して回転可能な部材の内壁面に設けるが、カム部と連動して回転可能な部材の内壁面とは、カム部の後方に位置する鞘軸の内壁面であり、あるいは鞘軸に連動して回転可能に設けた鞘軸内に配した部材や例えば頭冠等の内壁面等のことである。
【００１４】
嵌合突起は、筆記体を後方に付勢するばねによりカム係止突起を介してカム部は常時後方に押圧されているので、カム部に連接または連設した鞘軸が後方に移動し胴軸や摺動ケースから飛び出さないように、嵌合突起を摺動ケースに設けた嵌合凹部に嵌合させて、カム部を配した鞘軸の後方への移動を阻止するために設けるものである。
【００１５】
ストッパー用突起は、嵌合突起を嵌合凹部に係止して鞘軸を胴軸に対して回転してシャープペンシルユニットの筆記先端を軸筒の先端開口部より突出した際に、ストッパー用突起溝に対向し、カム筒や鞘軸は前進可能となるが、シャープペンシルユニットの筆記先端から鉛芯を繰出すために必要な移動距離以上に鞘軸が胴軸側へ前進しないように、前記ストッパー用突起の先端をストッパー用突起溝を形成する前方の収容部の壁面に当接させて移動を阻止するために設けるものである。
【００１６】  本発明では、嵌合突起とストッパー用突起を、カム部またはカム部と連動して回転可能な部材の内壁面における周方向の位置がずれた位置に設け、嵌合突起とストッパー用突起の周方向の断面形状を相違する必要がある。断面形状が相違するとは、形状が違うことは当然であるが、形状が相似しているが周方向の幅が異なっているものであってもよい。嵌合突起とストッパー用突起の形状が同じであると、嵌合突起がストッパー用突起溝にストッパー用突起が嵌合突起溝に対向した際にも、鞘軸の胴軸に対する前進移動が可能となり、シャープペンシルユニットの筆記先端が軸筒の先端開口部に没入した状態でも、鉛芯が繰出されてしまうという問題が生じてしまうからである。【００１７】
ところで、ストッパー用突起溝は、鞘軸が胴軸に対して必要以上に前進しないように、摺動ケースの収容部の筆記体収容溝と連通しないように設ける必要がある。筆記体収容溝の周方向の幅は、筆記体の軸径や摺動体の軸径との関係から一定の幅が必要であり、３つ以上の筆記体収容溝を有する摺動ケースにおいては、当然に隣り合う筆記体収容溝の間は狭くなり、おのずとストッパー用突起の周方向の幅を狭くする必要がでてくるので、ストッパー用突起の先端がストッパー用突起溝を形成する前方の収容部の壁面に衝接しても、ストッパー用突起に亀裂や損傷が生じないように長手方向に長い形状とするとよい。嵌合突起は、摺動ケースの収容部の筆記体収容溝と連通させて設けるので、摺動ケースの収容部に設ける筆記体収容溝の数と関係なく、周方向の幅を筆記体収容溝の周方向の幅とほぼ同等に設けることが可能であり、周方向の幅を狭くする必要がないので、嵌合突起に亀裂や損傷が生じないように長手方向に長い形状とする必要はない。
【発明の効果】
【００１８】
本発明の回転繰出式筆記具は前記したような構造なので、従来のカム部またはカム部と連動して回転可能な部材の内壁面に設けた突起と、該突起が嵌合可能な摺動ケースに設けた溝との構成により、鞘軸が胴軸に対して前進可能とすることで、シャープペンシルユニットの筆記体の筆記先端部から鉛芯を繰出可能とした構造において、摺動ケースの全長を従来のものに比べて短くできるので、筆記具の全長を短くすることができる。
【００１９】
あるいは、筆記具の全長を短くするのではなく、カム部のカム斜面の軸心方向の距離をその分長くすることで、筆記体の筆記先端部の軸筒内への没入時に、筆記先端の軸筒の先端開口部からの没入距離を長くすることができ、その結果、携帯時に鞘軸が胴軸に対して僅かに回転することにより、筆記体の筆記先端部が軸筒の先端開口部から突出してしまい、知らぬ間にポケットや衣類等をインキで汚してしまうという事故をおきにくくすることができる。
【００２０】
また、筆記具としての全長を変えることなく鞘軸の後端に装着した消しゴムの量を、大きなもの（長手方向の長さが長いもの）に変えることができるという利点がある。
【発明を実施するための最良の形態】
【００２１】
本発明の回転繰出式筆記具は、鞘軸と胴軸で構成された軸筒内に配した摺動ケースの筆記体収容溝に、カム係止突起を有した摺動体を後端に装着した少なくとも１つはシャープペンシルユニットである１つまたは複数の筆記体を収容し、鞘軸内にカム斜面を有したカム部を配し、鞘軸を胴軸に対して回転することにより、鞘軸内に配したカム部が回転し、筆記体の後端に設けたカム係止突起がカム部のカム斜面に沿って前後動することで、筆記体が軸筒内を前後動して筆記先端部を胴軸の先端開口部より出没可能とした、従来より知られている回転繰出式構造において、カム部の後方に嵌合突起とストッパー用突起を配し、摺動ケースに設けた嵌合凹部の前方に、一方が収容部に延びて筆記体収容溝に連通し他方が嵌合凹部に開口した嵌合突起溝と、一方が収容部に延び他方が嵌合凹部に開口したストッパー用突起溝を設ける。嵌合突起を摺動ケースに設けた嵌合凹部に嵌合し、鞘軸を胴軸に対して回転してシャープペンシルユニットの筆記先端を軸筒の先端開口部より突出した際に、嵌合突起が嵌合突起溝に対向し、ストッパー用突起がストッパー用突起溝に対向するようにし、嵌合突起が嵌合突起溝にストッパー用突起がストッパー用突起溝に進入することで鞘軸の胴軸側への押圧が可能となり、シャープペンシルユニットの筆記先端から鉛芯を繰出すことが可能となるようにするものである。
【実施例】
【００２２】
本発明の実施例を図面を用いて説明する。
本実施では、シャープペンシルユニットの筆記体とボールペンレフィルの筆記体を軸筒内に収容した回転繰出式の複合筆記具として説明するが、これに限定されるものではなく、１本のシャープペンシルユニットの筆記体を軸筒内に収容した回転繰出式の筆記具であってもよいし、複数本のシャープペンシルユニットの筆記体を収容した回転繰出式の多芯筆記具であってもよい。
【００２３】
図１〜図８は、本発明の第１の実施例で、樹脂製の軸筒内にシャープペンシルユニットの筆記体とボールペンレフィルの筆記体を１本づつ収容した複合筆記具の実施例である。
【００２４】
第１の実施例の回転繰出式の複合筆記具１は、図１に示すように前記した従来の複合筆記具１０１と同様に、軸筒２は前筒３ａと後筒３ｂで構成された胴軸３と鞘軸４とで構成されており、前筒３ａに固着した継手金輪５と後筒３ｂとを螺着することで、前筒３ａと後筒３ｂとを着脱自在に設けてある。
【００２５】
図１に示すように、鞘軸４の内壁面には、前記した従来の複合筆記具１０１と同様に、カム部６を鞘軸４の内壁面に一体に形成して設けてある。カム部６の後方の鞘軸４の内壁面には、周方向の対向した２カ所に内側に向かって突出した嵌合突起７と、該嵌合突起７より周方向において９０度隔てた位置の対向した２カ所に内側に向かって突出したストッパー用突起８を設けてある（図２の（ｃ）を参照）。嵌合突起７は、内側に向かって突出し長手方向に延びた直方体状の台部７ａの前方端部に、さらに内側に向かって突出した係止部７ｂとで構成した形状としてある（図５を参照）。係止部７ｂの周方の断面形状は、上面がＲ状に凹んだ長方形状に形成してある。ストッパー用突起８の周方向の断面形状は、嵌合突起７の周方向の幅より小幅な台形状に形成してある。嵌合突起７の係止部７ｂの内側への突出量は、ストッパー用突起８の内側への突出量より多く突出させて設けてあり、嵌合突起７とストッパー用突起８は、軸心方向における位置がほぼ同等の周上に設けてある。
【００２６】
従来の複合筆記具における摺動ケースと同様に、本実施例の摺動ケース９は、図３および図４に示すように、周方向において対向した２カ所に設けた筆記体収容溝１０（図面上では１つ）を有する収容部１１と該収容部１１の外径より小径な頭端部１２とで構成してある。摺動ケース９は、図１に示すように、胴軸３の後筒３ｂと一体に形成して設けて、鞘軸５に連動して回転や前後に移動することのないようにしてある。
【００２７】
摺動ケース９の一方の筆記体収容溝１０ａにはシャープペンシルユニットの筆記体１３ａを、他方の筆記体収容溝１０ｂにはボールペンレフィルの筆記体１３ｂを、コイルスプリング１４を介して後方（図１において右側方向）に付勢して収容してある。各々の筆記体１３ａ、１３ｂの後端部には摺動体１５ａ、１５ｂを連接して設けてあり、各々の摺動体１５ａ、１５ｂにはカム係止突起１６ａ、１６ｂは設けてある。各々のカム係止突起１６ａ、１６ｂは、カム部６のカム斜面１７に後方への押圧状態で当接させてある。
【００２８】
摺動ケース９の頭端部１２には、図３および図４に示すように、カム部６の後方の鞘軸４の内壁面に設けた嵌合突起７が嵌合して回転可能な、軸心方向の長さが嵌合突起の軸心方向の長さとほぼ同等な周状に形成した嵌合凹部１８を設けてある。該嵌合凹部１８は、収容部１１の後端壁面１９に連接して設けてあり、頭端部１２の軸心方向の全長は前記嵌合凹部１８の軸心方向の全長より若干長い長さとしてある。したがって、従来の複合筆記具における摺動ケースの頭端部の軸心方向の全長よりは短いものとなっている。
【００２９】
嵌合凹部１８の前方には、嵌合突起７が嵌合して前後動可能な、一方が収容部１１内に延びて筆記体収容溝１０に連通し他方が嵌合凹部１８に開口した嵌合突起溝２０を周方向の対向した２カ所に設けてあり（図３および図２の（ｂ）を参照）、また嵌合突起溝２０より周方向において９０度離れた、収容部１１の筆記体収容溝８の周方向の位置と重ならない位置に、ストッパー用突起８が嵌合して前後動可能な、一方が収容部１１に延び他方が嵌合凹部１８に開口したストッパー用突起溝２１を設けてある（図４および図２の（ｂ）を参照）。筆記体１３の筆記先端部２２が胴軸３の前筒３ａに没入している非筆記時は、嵌合突起７はストッパー用突起溝２１に、ストッパー用突起８は嵌合突起溝２０に対向した位置にあるが（図２の（ｂ）と（ｃ）を参照）、ストッパー用突起８の周方向の幅は嵌合突起溝２０の幅より狭くストッパー用突起８が嵌合突起溝２０に進入可能であるが、嵌合突起７の周方向の幅はストッパー用突起溝２１の周方向の幅より太幅となっているので嵌合突起７は収容部１１の後端壁面１９に当接し、鞘軸４の胴軸３に対しての前進方向への移動は阻止されている。
【００３０】
嵌合凹部１８の後方の頭端部１２の後端部２３の縁部は、後方に行くにしたがい漸次外径が小径となるようなテーパー状に設けてあり（図３を参照）、嵌合突起７の係止部７ｂの内側に向かって突出した先端の前方側縁部は前記テーパーと同様なテーパー形状としてあり、鞘軸４内に胴軸３に連設した摺動ケース１１を挿入した際に、嵌合突起７が前記後端部２３を乗り越えて嵌合凹部１８に嵌合しやすくしてある。
【００３１】
嵌合突起７が摺動ケース９の頭端部１２の嵌合凹部１８に嵌合することにより、鞘軸４が胴軸３より離脱することはなく、また非筆記時は嵌合突起７が摺動ケース９の収容部１１の後端壁面１９に当接することで、鞘軸４の胴軸３に対する前進を防止している。
【００３２】  図１において、鞘軸４を胴軸３に対して回転すると、カム部６が回転し、各々の筆記体１３ａ、１３ｂに連接した摺動体１５ａ、１５ｂのカム係止突起１６ａ、１６ｂがカム部６のカム斜面１７に沿って前後動し、図５に示すように、シャープペンシルユニットの筆記体１３ａの筆記先端部２２ａを胴軸３の前筒３ａの先端開口部２４より突出することができる。【００３３】
シャープペンシルユニットの筆記体１３ａの筆記先端部２２ａから鉛芯２５を繰出すには、筆記先端部２２ａが胴軸３の前筒３ａの先端開口部２４より突出した時には、嵌合突起７が摺動ケース９に設けた嵌合突起溝２０に、ストッパー用突起８がストッパー用突起溝２１に対向し、鞘軸４は胴軸３に対して押圧可能となるので、鞘軸４を押圧して前進移動させればよい（図７を参照）。
【００３４】
図面中、符号２６はクリップであり、符号２７は消しゴムである。従来と同様にして鞘軸４の後端部分に各々装着してある。
【００３５】
図９〜図２０は、本発明の第２の実施例で、金属製の軸筒内にシャープペンシルユニットの筆記体とボールペンレフィルの筆記体を１本づつ収容した複合筆記具の実施例である。第２の実施例の回転繰出式の複合筆記具３１は、軸筒３２が金属製の胴軸３３と鞘軸３４とで構成されている。
【００３６】
軸筒３２内に、筆記体を収容保持するための樹脂製の摺動ケース３５は、前記第１の実施例の複合筆記具１と相違して胴軸３３と別体に設けてある。図１１に示すように、摺動ケース３５の前方（図において左側方向）の前筒部３５ａには、連結筒３６が被覆して固着してある。連結筒３６は胴軸３３が着脱自在に嵌着可能に設けてあり、連結筒３６を介して、胴軸３３と摺動ケース３５は連接してある。連結筒３６には胴軸３３が必要以上に後方（図において右側方向）に嵌着しないように外方に突出したリング状の止め部３７を設けてある。
【００３７】
鞘軸３４の内壁面には、図１０に示すように、先端にカム斜面３８（図１６を参照）を有したカム筒３９を固着してカム部４０を設けてある。カム筒３９の後方（図におい右側方向）の内壁面には、周方向の対向した２カ所に内側に向かって突出した嵌合突起４１と、該嵌合突起４１より周方向において９０度隔てた位置の対向した２カ所に内側に向かって突出したストッパー用突起４２を設けてある（図１３の（ｄ）を参照）。第１の実施例の複合筆記具と同様に、嵌合突起４１は、内側に向かって突出し長手方向に延びた台部４１ａの前方端部に、さらに内側に向かって突出した係止部４１ｂとで構成した形状としてある（図１６を参照）。係止部４１ｂの周方向の断面形状は、上面がＲ状に凹んだ台形状に形成してある。ストッパー用突起４２の周方向の断面形状は、嵌合突起の周方向の幅より小幅なＲ状に突出した形状に形成してある。嵌合突起４１の係止部４１ｂの内側への突出量は、ストッパー用突起４２の内側への突出量より多く突出させて設けてあり、嵌合突起４１とストッパー用突起４２は、軸心方向における位置がほぼ同等の周上に設けてある。
【００３８】
前記した摺動ケース３５は、図１４および図１５に示すように、周方向において対向した２カ所に設けた筆記体収容溝４３（図面上では１つ）を有する収容部４４と該収容部４４の外径より小径な頭端部４５とで構成してある。摺動ケース３５は、胴軸３３には連接しているが鞘軸３４に対しては連接しておらず、鞘軸３４に連動して回転や前後に移動することはない。
【００３９】
摺動ケース３５の一方の筆記体収容溝４３ａにはシャープペンシルユニットの筆記体４６ａを、他方の筆記体収容溝４３ｂにはボールペンレフィルの筆記体４６ｂを、コイルスプリング４７を介して後方（図９において右側方向）に付勢して収容してある。各々の筆記体４６、４６ｂの後端部には摺動体４８ａ、４８ｂを連接して設けてあり、各々の摺動体４８ａ、４８ｂにはカム係止突起４９ａ、４９ｂを設けてある。各々のカム係止突起４９ａ、４９ｂは、カム筒３９のカム斜面３８に後方への押圧状態で当接させてある。
【００４０】
摺動ケース３５の頭端部４５には、図１４および図１５に示すように、第１の実施例の摺動ケース９と同様な、カム筒３９の内壁面に設けた嵌合突起４１が嵌合して回転可能な、軸心方向の長さが嵌合突起の軸心方向の長さとほぼ同等な周状に形成した嵌合凹部５０を設けてあり、該嵌合凹部５０の前方には、第１の実施例の摺動ケース９と同様にして設けた、嵌合突起溝５１とストッパー用突起溝５２を設けてある。
【００４１】
筆記体４６の筆記先端部５３が胴軸３３に没入している非筆記時は、嵌合突起４１はストッパー用突起溝５２に、ストッパー用突起４２は嵌合突起溝５１に対向した位置にあるが（図１２の（ｂ）と図１３の（ｄ）を参照）、第１の実施例の複合筆記具の場合と同様に、ストッパー用突起４２の周方向の幅は嵌合突起溝５１の幅より狭くストッパー用突起４２は嵌合突起溝５１に進入可能であるが、嵌合突起４１の周方向の幅はストッパー用突起溝５２の周方向の幅より太幅となっているので嵌合突起４１は収容部４４の後端壁面５４に当接し、カム筒３９および該カム筒３９を固着した鞘軸３４は前進不能としてある。
【００４２】
嵌合凹部５０の後方の頭端部４５の後端部５５の縁部は、後方に行くにしたがい漸次外径が小径となるようなテーパー状に設けてあり（図１４を参照）、カム筒３９に設けた嵌合突起４１の係止部４１ｂの内側に向かって突出した先端の前方側縁部は前記テーパーと同様なテーパー形状としてあり、摺動ケース３５を鞘軸３４内に挿着する際に、嵌合突起４１が前記後端部５５を乗り越えて嵌合凹部５０に嵌合しやすくするとともに、嵌合突起４１が摺動ケース３５の頭端部４５の嵌合凹部５０に嵌合することで、摺動ケース３５とカム筒３９すなわち鞘軸３４が離間しないようにしてある。
【００４３】
鞘軸３４の先端部分には、胴軸３３の連結筒３６との嵌合部分を被覆するための金輪５６が固着してある。組立の際に、鞘軸３４の先端と後軸３３の後端とに形成される隙間が生じてしまい、さらに各部材の成形寸法公差により隙間の量も一定ではなくばらつきが生じるために、美観上、その隙間を被覆するためのものである。
【００４４】
第１の実施例の複合筆記具１と同様に、図９において鞘軸３４を胴軸３３に対して回転すると、カム筒３９も回転し、各々の筆記体４６ａ、４６ｂに連接した摺動体４８ａ、４８ｂのカム係止突起４９ａ、４９ｂがカム斜面３８に沿って前後動し、図１６に示すように、シャープペンシルユニットの筆記体４６ａの筆記先端部５３ａを胴軸３３の先端開口部５７より突出することができる。
【００４５】
シャープペンシルユニットの筆記体４６ａの筆記先端部５３ａから鉛芯５８を繰出すには、筆記先端部５３ａが胴軸３３の先端開口部５７より突出した時には、嵌合突起４１が摺動ケース３５に設けた嵌合突起溝５１に、ストッパー用突起４２がストッパー用突起溝５２に対向し、鞘軸３４は胴軸３３に対して押圧可能となるので、鞘軸３４を押圧して前進移動させればよい（図１９を参照）。
【００４６】
図面中、符号５９はクリップであり、符号６０は消しゴムである。従来と同様にして鞘軸３４の後端部分に各々装着してある。
【００４７】
図２１〜図２８は、本発明の第３の実施例で、第２の実施例の複合筆記具３１において、軸筒内にシャープペンシルユニットの筆記体１本とボールペンレフィルの筆記体２本を収容した複合筆記具７１の実施例である。ただ、便宜上、軸筒内にシャープペンシルユニットの筆記体とボールペンレフィルの筆記体を収容した状態を現わした図においては、シャープペンシルユニットの筆記体とボールペンレフィルの筆記体1本のみを現わし、もう1本のボールペンレフィルの筆記体は省略してある。第３の実施例の複合筆記具７１は、摺動ケース７２とカム筒７３以外の部材が第２の実施例の複合筆記具３１と同様に形成または構成されているので、摺動ケース３５とカム筒３９の形状の異なる点について説明する。なお同一部材、同じ箇所を示す場合は、同じ符号を付す。
【００４８】
鞘軸３４の内壁面に固着した、先端にカム斜面８４（図２７を参照）を有したカム筒７３は、後方（図におい右側方向）の内壁面に、周方向に等間隔に３つの内側に向かって突出した嵌合突起７４と、その各々の嵌合突起７４の周方向の間の３カ所の位置に内側に向かって突出したストッパー用突起７５を設けてある（図２２の（ｂ）を参照）。嵌合突起７４は、第２の実施例の複合筆記具３１と同様に、内側に向かって突出し長手方向に延びた台部７４ａの前方端部に、さらに内側に向かって突出した係止部７４ｂとで構成した形状としてある（図２１を参照）。係止部７４ｂの周方向の断面形状は、上面がＲ状に凹んだ台形状に形成してある。ストッパー用突起７５は、内側に向かって突出し長手方向に延びた台状に形成してある。ストッパー用突起７５の周方向の断面形状は、嵌合突起７４の周方向の幅と略同幅なＲ状に突出した形状に形成してある。嵌合突起７４の係止部７４ｂの内側への突出量は、ストッパー用突起７５の内側への突出量より多く突出させて設けてあり、嵌合突起７４とストッパー用突起７５は、軸心方向における位置がほぼ同等の周上に設けてある。
【００４９】
摺動ケース７２は、図２３および図２４に示すように、周方向に等間隔に３つの筆記体収容溝７６を有する収容部７７（図２８の（ａ）を参照）と該収容部７７の外径より小径な頭端部７８を有し、各々の筆記体収容溝７６にシャープペンシルユニットの筆記体４６ａを１つと、２つのボールペンレフィルの筆記体４６ｂを、第２の実施例の複合筆記具３１と同様に、コイルスプリング４７を介して後方に付勢して収容してある。各々の筆記体４６、４６ｂの後端部には摺動体４８を連接して設けてあり、各々の摺動体４８に設けたカム係止突起４９をカム筒７３のカム斜面８４に当接して収容してある（図においては、シャープペンシルユニットの筆記体４６ａの摺動体４８のみが表示）。
【００５０】
摺動ケース７２の頭端部７８には、図２３および図２４に示すように、第２の実施例の摺動ケース３５と同様な、カム筒７３の内壁面に設けた嵌合突起７４の係止部７４ｂが嵌合して回転可能な、軸心方向の長さが嵌合突起の軸心方向の長さとほぼ同等な周状に形成した嵌合凹部７９を設けてある。
【００５１】
嵌合凹部７９の前方には、第２の実施例の摺動ケース３５と同様に、嵌合突起７４とストッパー用突起７５に対応した形状が略同形状の嵌合突起溝８０とストッパー用突起溝８１を設けてある。筆記体４６の筆記先端部５３が胴軸３３に没入している非筆記時は、嵌合突起７４はストッパー用突起溝８１に、ストッパー用突起７５は嵌合突起溝８０に対向した位置にあり（図２２の（ａ）と（ｂ）を参照）、ストッパー用突起７５は嵌合突起溝８０内に進入可能であるが、嵌合突起７４とストッパー用突起溝８１の形状の相違により、嵌合突起７４の係止部７４ｂが摺動ケース７２の収容部７７の後端壁面８２に当接し、鞘軸５４の胴軸５３に対しての前進方向への移動は阻止される。
【００５２】
嵌合凹部７９の後方の頭端部７８の後端部８３の縁部は、第２の実施例の摺動ケース３５と同様に、後方に行くにしたがい漸次外径が小径となるようなテーパー状に設けてあり（図２３を参照）、カム筒７３に設けた嵌合突７４の係止部７４ｂの内側に向かって突出した先端の前方側縁部は前記テーパーと同様なテーパー形状としてあり、摺動ケース７２を鞘軸３４内に挿着する際に、嵌合突起７４が前記後端部８３を乗り越えて嵌合凹部７９に嵌合しやすくしてある。
【００５３】
その他の構造は、第２の実施例の複合筆記具３１と同様な構造であり、図２１において鞘軸３４を胴軸３３に対して回転すると、カム筒７３も回転し、各々の筆記体４６ａ、４６ｂに連接した摺動体４８のカム係止突起４９がカム筒７３のカム斜面８４に当接しているので前後動し、図２５に示すように、シャープペンシルユニットの筆記体４６ａの筆記先端部５３ａを胴軸３３の先端開口部５７より突出することができる。シャープペンシルユニットの筆記体４６ａの筆記先端部５３ａから鉛芯５８を繰出すには、嵌合突起７４が摺動ケース７２に設けた嵌合突起溝８０に、ストッパー用突起７５がストッパー用突起溝８１に対向し、鞘軸３４は胴軸３３に対して押圧可能となるので、鞘軸３４を押圧して前進移動させればよい（図２７を参照）。
【産業上の利用可能性】
【００５４】
少なくとも１つのシャープペンシルユニットの筆記体を軸筒内に収容した回転繰出式筆記具において、従来の筆記具より全長を短くしたい場合や、従来の筆記具の全長より長くすることなく、軸筒内に収容した筆記体の筆記先端の軸筒の先端開口部からの没入距離を長くしたい場合に利用可能である。
【図面の簡単な説明】
【００５５】
【図１】本発明の第１の実施例を示す複合筆記具の要部を縦断面した側面の概略図である。
【図２】図１における要部の横断面図で、（ａ）はア−ア線部分のクリップ部分を省略した拡大端面図である。（ｂ）はイ−イ線部分のクリップ部分を省略した拡大端面図である。（ｃ）はウ−ウ線部分のクリップ部分を省略した拡大端面図である。
【図３】図１における摺動ケースの後方部分の要部の拡大上面図である。
【図４】図１における摺動ケースの後方部分の要部の拡大側面図である。
【図５】図１において、鞘軸を胴軸に対して回転してシャープペンシルユニットの筆記体の筆記先端部を胴軸の先端開口部より突出した状態を示す、複合筆記具の要部を縦断面した側面の概略図である。
【図６】図５における要部の横断面図で、（ａ）はエ−エ線部分のクリップ部分を省略した拡大端面図である。（ｂ）はオ−オ線部分のクリップ部分を省略した拡大端面図である。（ｃ）はカ−カ線部分のクリップ部分を省略した拡大端面図である。
【図７】図５において、シャープペンシルユニットの筆記体の筆記先端部から鉛芯を繰出すために鞘軸を胴軸に対して押圧した状態を示す、複合筆記具の要部を縦断面した側面の概略図である。
【図８】図７における要部の横断面図で、（ａ）はキ−キ線部分のクリップ部分を省略した拡大端面図である。（ｂ）はク−ク線部分のクリップ部分を省略した拡大端面図である。
【図９】本発明の第２の実施例を示す複合筆記具の要部を縦断面した側面の概略図である。
【図１０】図９におけるＩ−II線部分の拡大図である。
【図１１】図９におけるIII−IV線部分の拡大図である。
【図１２】図９における要部の横断面図で、（ａ）はケ−ケ線部分のクリップ部分を省略した拡大端面図である。（ｂ）はコ−コ線部分のクリップ部分を省略した拡大端面図である。
【図１３】図９における要部の横断面図で、（ｃ）はサ−サ線部分のクリップ部分を省略した拡大端面図である。（ｄ）はシ−シ線部分のクリップ部分を省略した拡大端面図である。
【図１４】図９における摺動ケースの後方部分の要部の拡大上面図である。
【図１５】図９における摺動ケースの後方部分の要部の拡大側面図である。
【図１６】図９において、鞘軸を胴軸に対して回転してシャープペンシルユニットの筆記体の筆記先端部を胴軸の先端開口部より突出した状態を示す、複合筆記具の要部を縦断面した側面の概略図である。
【図１７】図１６における要部の横断面図で、（ａ）はス−ス線部分のクリップ部分を省略した拡大端面図である。（ｂ）はセ−セ線部分のクリップ部分を省略した拡大端面図である。
【図１８】図１６における要部の横断面図で、（ｃ）はソ−ソ線部分のクリップ部分を省略した拡大端面図である。（ｄ）はタ−タ線部分のクリップ部分を省略した拡大端面図である。
【図１９】図１６において、シャープペンシルユニットの筆記体の筆記先端部から鉛芯を繰出すために鞘軸を胴軸に対して押圧した状態を示す、複合筆記具の要部を縦断面した側面の概略図である。
【図２０】図１９における要部の横断面図で、（ａ）はチ−チ線部分のクリップ部分を省略した拡大端面図である。（ｂ）はツ−ツ線部分のクリップ部分を省略した拡大端面図である。（ｃ）はテ−テ線部分のクリップ部分を省略した拡大端面図である。
【図２１】本発明の第３の実施例を示す複合筆記具の要部を縦断面した側面の概略図である。
【図２２】図２１における要部の横断面図で、（ａ）はト−ト線部分のクリップ部分を省略した拡大端面図である。（ｂ）はナ−ナ線部分のクリップ部分を省略した拡大端面図である。
【図２３】図２１における摺動ケースの後方部分の要部の拡大上面図である。
【図２４】図２１における摺動ケースの後方部分の要部の拡大側面図である。
【図２５】図２１において、鞘軸を胴軸に対して回転してシャープペンシルユニットの筆記体の筆記先端部を胴軸の先端開口部より突出した状態を示す、複合筆記具の要部を縦断面した側面の概略図である。
【図２６】図２５における要部の横断面図で、（ａ）はニ−ニ線部分のクリップ部分を省略した拡大端面図である。（ｂ）はヌ−ヌ線部分のクリップ部分を省略した拡大端面図である。
【図２７】図２５において、シャープペンシルユニットの筆記体の筆記先端部から鉛芯を繰出すために鞘軸を胴軸に対して押圧した状態を示す、複合筆記具の要部を縦断面した側面の概略図である。
【図２８】図２７における要部の横断面図で、（ａ）はネ−ネ線部分のクリップ部分を省略した拡大端面図である。（ｂ）はノ−ノ線部分のクリップ部分を省略した拡大端面図である。
【図２９】従来の複合筆記具の要部を縦断面した側面の概略図である。
【図３０】図２９における要部の横断面図で、（ａ）はハ−ハ線部分のクリップ部分を省略した拡大端面図である。（ｂ）はヒ−ヒ線部分のクリップ部分を省略した拡大端面図である。（ｃ）はフ−フ線部分のクリップ部分を省略した拡大端面図である。
【図３１】図２９における摺動ケースの後方部分の要部の拡大上面図である。
【図３２】図２９において、鞘軸を胴軸に対して回転してシャープペンシルユニットの筆記体の筆記先端部を胴軸の先端開口部より突出した状態を示す、複合筆記具の要部を縦断面した側面の概略図である。
【図３３】図３２における要部の横断面図で、（ａ）はヘ−ヘ線部分のクリップ部分を省略した拡大端面図である。（ｂ）はホ−ホ線部分のクリップ部分を省略した拡大端面図である。（ｃ）はマ−マ線部分のクリップ部分を省略した拡大端面図である。
【図３４】図３２において、シャープペンシルユニットの筆記体の筆記先端部から鉛芯を繰出すために鞘軸を胴軸に対して押圧した状態を示す、複合筆記具の要部を縦断面した側面の概略図である。
【符号の説明】
【００５６】
１、３１、７１  複合筆記具
２、３２  軸筒
３、３３  胴軸
４、３４  鞘軸
６、４０  カム部
７、４１、７４  嵌合突起
８、４２、７５  ストッパー用突起
９、３５、７２  摺動ケース
１０、４３、７６  筆記体収容溝
１１、４４、７７  収容部
１２、４５、７８  頭端部
１３、４６  筆記体
１４、４７  コイルスプリング
１５、４８  摺動体
１６、４９  カム係止突起
１７、３８  カム斜面
１８、５０、７９  嵌合凹部
２０、５１、８０  嵌合突起溝
２１、５２、８１  ストッパー用突起溝
【図１】
0005038205.tif 000002
【図２】
0005038205.tif 000003
【図３】
0005038205.tif 000004
【図４】
0005038205.tif 000005
【図５】
0005038205.tif 000006
【図６】
0005038205.tif 000007
【図７】
0005038205.tif 000008
【図８】
0005038205.tif 000009
【図９】
0005038205.tif 000010
【図１０】
0005038205.tif 000011
【図１１】
0005038205.tif 000012
【図１２】
0005038205.tif 000013
【図１３】
0005038205.tif 000014
【図１４】
0005038205.tif 000015
【図１５】
0005038205.tif 000016
【図１６】
0005038205.tif 000017
【図１７】
0005038205.tif 000018
【図１８】
0005038205.tif 000019
【図１９】
0005038205.tif 000020
【図２０】
0005038205.tif 000021
【図２１】
0005038205.tif 000022
【図２２】
0005038205.tif 000023
【図２３】
0005038205.tif 000024
【図２４】
0005038205.tif 000025
【図２５】
0005038205.tif 000026
【図２６】
0005038205.tif 000027
【図２７】
0005038205.tif 000028
【図２８】
0005038205.tif 000029
【図２９】
0005038205.tif 000030
【図３０】
0005038205.tif 000031
【図３１】
0005038205.tif 000032
【図３２】
0005038205.tif 000033
【図３３】
0005038205.tif 000034
【図３４】
0005038205.tif 000035